【手続補正書】
【提出日】平成21年3月17日(2009.3.17)
【手続補正１】
【補正対象書類名】特許請求の範囲
【補正対象項目名】全文
【補正方法】変更
【補正の内容】
【特許請求の範囲】
【請求項１】
管理コードを含む印刷データを生成するアプリケーションを有する上位装置と、該上位装置から供給される印刷データを受信して印刷処理を行う印刷装置とから構成される印刷システムにおいて、
前記上位装置に設けられ、前記アプリケーションで生成された印刷データ内の細線データが管理コードのデータであるか管理コード以外のデータであるかを判定する判定手段と、
前記上位装置に設けられ、前記判定手段の判定結果に基づき、前記細線データに対して細線補正を行う細線補正手段とを具備し、
前記細線補正手段は、前記細線データが、前記判定手段により管理コード以外のデータと判定された場合前記細線データに対して補正を行い、前記判定手段により管理コードのデータであると判定された場合前記細線データに対して補正を行わないことを特徴とする印刷システム。
【請求項２】
前記判定手段は、前記印刷データ内の所定データが、所定形状の塗り潰し部とその輪郭線の位置が隣接しているか否かにより、該所定データが管理コードか否かを判定する請求項１記載の印刷システム。
【請求項３】
前記判定手段は、前記印刷データ内の所定データが、所定形状の塗り潰し部の色情報と隣接した線の色情報が同じであるか否かにより、該所定データが管理コードか否かを判定する請求項２記載の印刷システム。
【請求項４】
管理コードを含む印刷データを生成するアプリケーションを有する上位装置と、該上位装置から供給される印刷データを受信して印刷処理を行う印刷装置とから構成される印刷システムにおいて、
前記上位装置に設けられ、前記アプリケーションで生成された印刷データ内の輪郭線データが管理コードのデータであるか管理コード以外のデータであるかを判定する判定手段と、
前記上位装置に設けられ、用紙の向きを検出する向き検出手段と、
前記上位装置に設けられ、前記判定手段の判定結果と前記向き検出手段の検出結果に応じて前記輪郭線データの座標を補正する座標補正手段とを具備し、
前記座標補正手段は、前記輪郭線データが、前記判定手段により管理コード以外のデータと判定された場合、前記輪郭線データに対して座標補正を行わず、前記判定手段により管理コードのデータであると判定された場合、前記向き検出手段の検出結果に応じて前記輪郭線データに対して座標補正を行うことを特徴とする印刷システム。
【請求項５】
前記上位装置に設けられ、用紙上における印刷レイアウトに応じて管理コードの輪郭線データの座標を補正する第２の座標補正手段を具備する請求項４記載の印刷システム。
【請求項６】
前記上位装置に設けられ、前記判定手段の判定結果に基づき、前記輪郭線データに対して輪郭線の幅補正を行う輪郭線幅補正手段とを具備し、
前記輪郭線幅補正手段は、前記輪郭線データが、前記判定手段により管理コード以外のデータと判定された場合前記輪郭線データに対して幅補正を行い、前記判定手段により管理コードのデータであると判定された場合前記輪郭線データに対して幅補正を行わないことを特徴とする請求項４記載の印刷システム。
【請求項７】
管理データを含む印刷データを処理する印刷データ処理装置において、
前記印刷データ内の細線データが管理コードのデータであるか管理コード以外のデータであるかを判定する判定手段と、
前記判定手段の判定結果に基づき、前記細線データに対して細線補正を行う細線補正手段とを具備し、
前記細線補正手段は、前記細線データが、前記判定手段により管理コード以外のデータと判定された場合前記細線データに対して補正を行い、前記判定手段により管理コードのデータであると判定された場合前記細線データに対して補正を行わないことを特徴とする印刷データ処理装置。
【請求項８】
前記判定手段は、前記印刷データ内の所定データが、所定形状の塗り潰し部とその輪郭線の位置が隣接しているか否かにより、前記所定データが管理コードか否かを判定する請求項７記載の印刷データ処理装置。
【請求項９】
前記判定手段は、前記印刷データ内の所定データが、所定形状の塗り潰し部の色情報と隣接した線の色情報が同じであるか否かにより、前記所定データが管理コードか否かを判定する請求項８記載の印刷データ処理装置。
【請求項１０】
管理データを含む印刷データを処理する印刷データ処理装置において、
前記印刷データ内の輪郭線データが管理コードのデータであるか管理コード以外のデータであるかを判定する判定手段と、
用紙の向きを検出する向き検出手段と、
前記判定手段の判定結果と前記向き検出手段の検出結果に応じて、前記輪郭線データの座標を補正する座標補正手段とを具備し、
前記座標補正手段は、前記輪郭線データが、前記判定手段により管理コード以外のデータと判定された場合、前記輪郭線データに対して座標補正を行わず、前記判定手段により管理コードのデータであると判定された場合、前記向き検出手段の検出結果に応じて前記輪郭線データに対して座標補正を行うことを特徴とする印刷データ処理装置。
【請求項１１】
用紙上における印刷レイアウトに応じて管理コードの輪郭線データの座標を補正する第２の座標補正手段を具備する請求項１０記載の印刷データ処理装置。
【請求項１２】
前記判定手段の判定結果に基づき、前記輪郭線データに対して輪郭線の幅補正を行う輪郭線幅補正手段とを具備し、
前記輪郭線幅補正手段は、前記輪郭線データが、前記判定手段により管理コード以外のデータと判定された場合前記輪郭線データに対して幅補正を行い、前記判定手段により管理コードのデータであると判定された場合前記輪郭線データに対して幅補正を行わないことを特徴とする請求項１０記載の印刷データ処理装置。
【手続補正２】
【補正対象書類名】明細書
【補正対象項目名】発明の名称
【補正方法】変更
【補正の内容】
【発明の名称】印刷システム及び印刷データ処理装置
【手続補正３】
【補正対象書類名】明細書
【補正対象項目名】０００１
【補正方法】変更
【補正の内容】
【０００１】
本発明は、上位装置のアプリケーションで生成した管理コードを含む印刷データを印刷装置で印刷する印刷システム、および管理コードを含む印刷データを処理する印刷データ処理装置に関する。
【手続補正４】
【補正対象書類名】明細書
【補正対象項目名】００１０
【補正方法】変更
【補正の内容】
【００１０】
上記課題を解決するために、本発明は、管理データを含む印刷データを処理する印刷データ処理装置において、前記印刷データ内の細線データが管理コードのデータであるか管理コード以外のデータであるかを判定する判定手段と、前記判定手段の判定結果に基づき、前記細線データに対して細線補正を行う細線補正手段とを具備し、前記細線補正手段は、前記細線データが、前記判定手段により管理コード以外のデータと判定された場合前記細線データに対して補正を行い、前記判定手段により管理コードのデータであると判定された場合前記細線データに対して補正を行わないことを特徴とする。
【手続補正５】
【補正対象書類名】明細書
【補正対象項目名】００１１
【補正方法】変更
【補正の内容】
【００１１】
また第２の発明は、管理データを含む印刷データを処理する印刷データ処理装置において、前記印刷データ内の輪郭線データが管理コードのデータであるか管理コード以外のデータであるかを判定する判定手段と、用紙の向きを検出する向き検出手段と、前記判定手段の判定結果と前記向き検出手段の検出結果に応じて、前記輪郭線データの座標を補正する座標補正手段とを具備し、前記座標補正手段は、前記輪郭線データが、前記判定手段により管理コード以外のデータと判定された場合、前記輪郭線データに対して座標補正を行わず、前記判定手段により管理コードのデータであると判定された場合、前記向き検出手段の検出結果に応じて前記輪郭線データに対して座標補正を行うことを特徴とする。
【手続補正６】
【補正対象書類名】明細書
【補正対象項目名】００１２
【補正方法】変更
【補正の内容】
【００１２】
上記構成を有する本発明によれば、細線データが、判定手段により管理コード以外のデータと判定された場合には、その細線データに対して細線補正手段により細線補正して印刷するようにしたので、表や罫線の良好な印刷を行うことができる。また判定手段により管理コードのデータであると判定された場合には、その細線データに対しては細線補正手段により細線補正しないで印刷処理を行うようにしたので、管理コードの読み取り精度を低下させることはない。
【手続補正７】
【補正対象書類名】明細書
【補正対象項目名】００１３
【補正方法】変更
【補正の内容】
【００１３】
また第２の発明によれば、用紙の向きを検出する向き検出手段と、向き検出手段の検出結果に応じて管理コードの輪郭線データの座標を補正する座標補正手段とを具備するようにしたので、塗り潰しと輪郭線の位置ずれを防止することが可能となり、読み取り精度の低下しない管理コードの印刷が可能となる。